(57)【要約】【課題】簡単な構成で、ポーションカップを十分に開封でき、容器の密閉性を保ち、ポーションカップから副剤を迅速に容器内へ混合可能な混合キャップを提供すること。【解決手段】混合キャップ１００であって、キャップ本体１１０と、外蓋１３０と、アダプター１４０とを有し、キャップ本体１１０は、頂板部１１１を有し、頂板部１１１の、ポーションカップ２００の開封面２０１と対向する位置には、閉鎖板１１５と、開封用カッター１１３とが設けられ、外蓋１３０は、筒状壁１３２を有し、筒状壁１３２は、ポーションカップ２００を収容可能に構成され、アダプター１４０は、筒状壁１３２と係合可能であり、開口部１４２，１４３が形成された主部１４１と、押圧リブ１４５とを有し、押圧リブ１４５は閉鎖板１１５を押圧可能であり、開口部１４２，１４３は、開封用カッター１１３が侵入可能に構成されていること。【選択図】図１
2018118779.tif 000002
【特許請求の範囲】
【請求項１】
主剤が充填された容器の口部に装着され、ポーションカップ内に充填された副剤を取り出し容器内へ混合可能な混合キャップであって、
該混合キャップは、キャップ本体と、外蓋と、アダプターとを有し、
前記キャップ本体は、前記容器口部と係合可能に構成され、頂板部と、前記頂板部から上方に延びる筒状突起とを有し、
前記頂板部の上面の、前記ポーションカップの開封面と対向する位置には、閉鎖板と、前記閉鎖板を囲む破断用スコアと、上方に延びる開封用カッターとが設けられ、
前記外蓋は、前記キャップ本体と係合可能に構成され、外蓋天面と、前記外蓋天面から下方に延び前記筒状突起に内包可能な筒状壁と、前記外蓋天面から下方に延び前記筒状壁より外方に形成された外蓋壁部とを有し、
前記筒状壁は、前記ポーションカップを収容可能に構成され、
前記アダプターは、前記筒状壁と係合し、前記ポーションカップを保持するように構成され、開口部が形成された主部と、前記主部から下方に延びる押圧リブとを有し、
前記押圧リブは、前記閉鎖板を押圧可能であり、
前記開口部は、前記開封用カッターが進入可能な開口を有することを特徴とする混合キャップ。
【請求項２】
前記頂板部の上面中央には上方に延びる押上げリブが設けられ、前記開口部は、前記開封用カッターが進入可能に設けられた開口部と、前記押上げリブが進入可能に設けられた開口部とを含むことを特徴とする請求項１に記載の混合キャップ。
【請求項３】
前記開封用カッターは、前記ポーションカップの開封面縁部に対向する位置に、周状に複数断続的に配置され、
前記頂板部には、上方に延び、前記押上げリブよりも短い補助リブが設けられ、
前記補助リブは、前記開封用カッターと同一周上に設けられていることを特徴とする請求項１または請求項２に記載の混合キャップ。
【請求項４】
前記外蓋は、下方に延びる円筒状の密封壁部を有し、
前記密封壁部は、前記外蓋と前記キャップ本体とが係合した際に、前記筒状突起の内面に全周にわたって当接することを特徴とする請求項１乃至請求項３のいずれかに記載の混合キャップ。
【請求項５】
前記破断用スコアは、前記押圧リブと前記閉鎖板との当接部近傍に、開封開始角部を有することを特徴とする請求項１乃至請求項４のいずれかに記載の混合キャップ。
【請求項６】
前記外蓋は、前記アダプターと相対的に回転可能に構成されていることを特徴とする請求項１乃至請求項５のいずれかに記載の混合キャップ。
【請求項７】
前記筒状突起の内周面には、前記アダプターと係合する方向規制ガイドが設けられていることを特徴とする請求項１乃至請求項６のいずれかに記載の混合キャップ。
【請求項８】
前記キャップ本体と前記外蓋とには、前記外蓋が前記キャップ本体から離脱する方向に対する抜け止め部が設けられていることを特徴とする請求項１乃至請求項７のいずれかに記載の混合キャップ。
【請求項９】
前記押上げリブは、前記頂板部の中央から上方に延びる平板状に形成され、
前記開封用カッターは、前記ポーションカップの開封面縁部に対向する位置に、周状に複数断続的に配置され、
前記補助リブは、前記頂板部の前記開封用カッターと同一周上の、前記押上げリブの平面の延長線と交差する位置に設けられ、
前記閉鎖板は、周状に配置されている複数の前記開封用カッターより内側に、前記押上げリブの両側にそれぞれ設けられ、
前記破断用スコアは、前記閉鎖板の外周縁部に設けられ、
複数の前記押圧リブは、それぞれ異なる長さで下方に延び、前記アダプターと前記頂板部とが当接した際に、それぞれ異なる破断用スコアの内側に当接することを特徴とする請求項１乃至請求項８のいずれかに記載の混合キャップ。
【発明の詳細な説明】
【技術分野】
【０００１】
本発明は、主剤が充填された容器の口部に装着され、ポーションカップ内に充填された副剤を取り出し容器内へ混合可能な混合キャップに関する。
【背景技術】
【０００２】
従来、主剤が充填された容器の口部に装着され、ポーションカップ内に充填された副剤を任意のタイミングで取り出し容器内の主剤と混合可能な混合キャップとして、容器の口部に装着可能なキャップ本体と、副剤を充填したポーションカップを収容可能な外蓋とで構成された混合キャップが特許文献１で公知である。この特許文献１で公知の混合キャップは、キャップ本体の頂板部にポーションカップ開封用の開封用カッター（カッター６０）と、キャップ本体の頂板部を開口可能な押圧リブ（スコア破断用突片５５）とを有しており、開封面（シール箔３ｄ）を下に向けたポーションカップを収容してキャップ本体上面側にネジ係合している外蓋（上蓋２）を回転させ、回転しながら降下する外蓋（上蓋２）で押圧リブ（スコア破断用突片５５）を押し込むことでキャップ本体の頂板部を開口するとともに、外蓋（上蓋２）とともに回転しながら降下するポーションカップの開封面（シール箔３ｄ）を、頂板部に設けられた開封用カッター（カッター６０）で回し切り開封することで、ポーションカップに充填されている副剤を容器内へ落下させて主剤と混合するものである。
【０００３】
また、特許文献２にも、ポーションカップ内に充填された副剤を任意のタイミングで取り出し容器内の主剤と混合可能な混合キャップが提案されている。この特許文献２で公知の混合キャップは、円筒状に形成されたキャップ本体（第二の部材４）の半径方向中心から放射状に延びる開封用カッター（切断片４２）を有し、キャップ本体（第二の部材４）の上部には開封面（閉塞片８）を下に向けたポーションカップ（第一の部材２）が係合しており、ポーションカップ（第一の部材２）を押し込むことで、開封用カッター（切断片４２）によって開封面（閉塞片８）を切り裂き、ポーションカップ（第一の部材２）内に充填されている副剤を容器内へ落下させて主剤と混合するものである。
【先行技術文献】
【特許文献】
【０００４】
【特許文献１】特許第４４８５８６９号公報
【特許文献２】特許第５８９３８５１号公報
【発明の概要】
【発明が解決しようとする課題】
【０００５】
ところが、上記特許文献等で公知の混合キャップは、未だ改善の余地があった。すなわち、ポーションカップ（第一の部材２）の開封面（シール箔３ｄ、閉塞片８）がフィルム状の場合、ポーションカップ（第一の部材２）の開封面（シール箔３ｄ、閉塞片８）と開封用カッター（カッター６０、切断片４２）との接触状態によっては、開封用カッター（カッター６０、切断片４２）が開封面（シール箔３ｄ、閉塞片８）に十分に食い込まず、開封面（シール箔３ｄ、閉塞片８）の表面を押圧しながら徐々に引き延ばしてしまい、ポーションカップ（第一の部材２）の開封面（シール箔３ｄ、閉塞片８）を確実に開封できないおそれがあった。
また、外蓋（上蓋２）やポーションカップ（第一の部材２）が十分に降下する前にポーションカップ（第一の部材２）の開封面（シール箔３ｄ、閉塞片８）が開封され始めるため、外蓋（上蓋２）とキャップ本体（第二の部材４）との隙間や、ポーションカップ（第一の部材２）とキャップ本体（第二の部材４）との隙間から、開封したポーションカップ（第一の部材２）内の副剤が容器外へ漏出するおそれがあった。
【０００６】
さらに、特許文献１で公知の混合キャップでは、押圧リブ（スコア破断用突片５５）を外蓋（上蓋２）で押し込むことでキャップ本体の天面を開口するが、押圧リブ（スコア破断用突片５５）がポーションカップよりも半径方向外方に設けられているため、押圧リブ（スコア破断用突片５５）を押し込むために必要な力が大きくなるとともに、キャップ本体の頂板部が大きく開きにくいため、開封したポーションカップから副剤が容器内へ落下しにくくなるおそれがあった。
また、特許文献２で公知の混合キャップでは、開封前のポーションカップ（第一の部材２）の降下を制限する制限片がポーションカップ（第一の部材２）に設けられているが、制限片は円筒状のキャップ本体（第二の部材４）よりも半径方向外方へ突出しているため、搬送時における混合キャップの周方向の向きに注意する必要があるとともに、突出した制限片に不意に触れてしまい、開封時以外で制限片を破断してしまうおそれがあった。
【０００７】
本発明は、これらの問題点を解決するものであり、簡単な構成で、ポーションカップの開封面を十分に開封できるとともに、混合キャップ及び混合キャップを装着した容器の外部との密閉性を保ち、開封されたポーションカップから取り出した副剤を迅速に容器内の主剤側へ落下し混合させることが可能な混合キャップを提供することを目的とするものである。
【課題を解決するための手段】
【０００８】
本発明の混合キャップは、主剤が充填された容器の口部に装着され、ポーションカップ内に充填された副剤を取り出し容器内へ混合可能な混合キャップであって、該混合キャップは、キャップ本体と、外蓋と、アダプターとを有し、前記キャップ本体は、前記容器口部と係合可能に構成され、頂板部と、前記頂板部から上方に延びる筒状突起とを有し、前記頂板部の上面の、前記ポーションカップの開封面と対向する位置には、閉鎖板と、前記閉鎖板を囲む破断用スコアと、上方に延びる開封用カッターとが設けられ、前記外蓋は、前記キャップ本体と係合可能に構成され、外蓋天面と、前記外蓋天面から下方に延び前記筒状突起に内包可能な筒状壁と、前記外蓋天面から下方に延び前記筒状壁より外方に形成された外蓋壁部とを有し、前記筒状壁は、前記ポーションカップを収容可能に構成され、前記アダプターは、前記筒状壁と係合し、前記ポーションカップを保持するように構成され、開口部が形成された主部と、前記主部から下方に延びる押圧リブとを有し、前記押圧リブは、前記閉鎖板を押圧可能であり、前記開口部は、前記開封用カッターが進入可能な開口を有することにより、前記課題を解決するものである。
【発明の効果】
【０００９】
請求項１に係る混合キャップによれば、アダプターには、下方に延びる押圧リブと開口部とが設けられており、キャップ本体の閉鎖板を押圧リブで押圧し、開封用カッターがアダプターの開口部を進入可能に構成されているため、キャップ本体の閉鎖板及びポーションカップの開封面を、アダプターに設けられた押圧リブ及びキャップ本体に設けられた開封用カッターにより、それぞれ別部材でそれぞれを開口可能に構成されているため小さい力で開封できる。
また、ポーションカップ開封後に落下する副剤は、開口部と、閉鎖板が押し下げられたことで開口された頂板部とを通り、確実に容器内へ落下できる。
【００１０】
請求項２に記載の構成によれば、頂板部の上面中央には上方に延びる押上げリブが設けられ、アダプターの開口部は、開封用カッターが進入可能に設けられた開口部と、押上げリブが進入可能に設けられた開口部とを含んでいるため、ポーションカップの開封面の中心を押し上げることで、ポーションカップの開封面の弛みを周方向均一に解消し、開封用カッターをより一層ポーションカップの開封面に食い込みやすくできるとともに、開封用カッターが食い込んだポーションカップの開封面の開口面積をより確実に広げることができる。
【００１１】
請求項３に記載の構成によれば、開封用カッターは、ポーションカップの開封面縁部に対向する位置に周状に複数断続的に配置されているため、ポーションカップを開封する際、ポーションカップの開封面は開封用カッターによって開封面縁部に破線状の孔を形成するとともに、さらに押上げリブによって開封面が押し上げられることで破線状の孔から亀裂が伝播して互いにつながり、より大きく副剤の通過しやすい開口を形成することができる。
また、補助リブが、開封用カッターと同一周上に設けられているため、押上げリブによって破線状の孔が互いにつながった開封面を、補助リブによって半径方向中心から開封用カッターによる孔のない補助リブの方向へ押し上げることで、開封面をより広く開口することができる。
さらに、開封面の破片が容器内へ混入することを防止できる。
【００１２】
請求項４に記載の構成によれば、外蓋に設けられた下方に延びる円筒状の密封壁部は、外蓋とキャップ本体とが係合した際に、キャップ本体の筒状突起の側面に全周にわたって当接するため、開封前から開封後まで外蓋とキャップ本体との隙間は常に塞がれ、ポーションカップ内の副剤が容器外へ漏出することはなく、また、容器内の主剤と副剤とを容器を振って混合しても、容器外へ内容物が漏出することがない。
請求項５に記載の構成によれば、破断用スコアは、押圧リブと閉鎖板との当接部近傍に、開封開始角部を有するため、押圧リブによって閉鎖板が押圧された際に、開封開始点に応力が集中することで、破断用スコアの破断の態様にばらつきが生じにくく、閉鎖板をより確実に開口することができる。
【００１３】
請求項６に記載の構成によれば、外蓋は、アダプターと相対的に回転可能に構成されているため、外蓋とキャップ本体とがネジ係合されていても、外蓋を回転させてキャップ本体側へ降下する際、アダプターは回転せずに、アダプターの開口部と開封用カッターとの位置を合わせた状態で降下することができる。
請求項７に記載の構成によれば、筒状突起の内周面には、アダプターと係合する方向規制ガイドが設けられているため、外蓋を回転させてキャップ本体側へ降下する際、アダプターの開口部と開封用カッターとの位置関係をずらすことなく確実に降下させることができる。
【００１４】
請求項８に記載の構成によれば、キャップ本体と外蓋とには、外蓋がキャップ本体から離脱する方向に対する抜け止め部が設けられているため、外蓋を完全に降下させ、ポーションカップ内の副剤と容器内の主剤とを混合した後、容器から内容物を取り出す際に、外蓋とキャップ本体とが不意に外れることなく混合キャップ全体を容器から離脱させることができるとともに、混合キャップを容器に再栓した場合でも、外蓋とキャップ本体とが不意に外れることがなく、容器内を確実に密閉できる。
【００１５】
請求項９に記載の構成によれば、押上げリブは、頂板部の中央から上方に延びる平板状に形成されているため、ポーションカップの開封面を押上げリブで直接破るほどの局所的な力が加わることなく強く押し上げることができる。
また、開封用カッターは、ポーションカップの開封面縁部に対向する位置に、周状に複数断続的に配置され、補助リブは、頂板部の開封用カッターと同一周上の、押上げリブの平面の延長線と交差する位置に設けられているため、開封用カッターによってポーションカップの開封面に形成された複数の破線状の孔の亀裂を、押上げリブによって押し上げることで伝播させてつなぐとともに、ポーションカップの開封面を押上げリブによって上方に持ち上げて補助リブ方向に傾け、さらに補助リブによって押し上げることで、開封面をより一層広く開口することができる。
また、閉鎖板は、周状に配置されている複数の開封用カッターより内側に、押上げリブの両側にそれぞれ設けられ、破断用スコアが閉鎖板の外周縁部に設けられているため、互いの閉鎖板が干渉せずに大きく開口することができる。
また、複数の押圧リブは、それぞれ異なる長さで下方に延び、アダプターと頂板部とが当接した際に、それぞれ異なる破断用スコアの内側に当接するため、例えば２つの閉鎖板を開口する際、長い押圧リブに押圧力を集中して先に一方の閉鎖板を開口し、その後短い押圧リブに押圧力を集中して他方の閉鎖板を開口することから、閉鎖板の開口に必要な押圧力を低くできる。
【図面の簡単な説明】
【００１６】
【図１】本発明の一実施形態に係る混合キャップ１００の、容器口部３００との嵌合状態を示す断面図。
【図２】本発明の一実施形態に係るキャップ本体１１０の、上面図、正面断面図、側面断面図、及び下面図。
【図３】本発明の一実施形態に係る外蓋１３０の、正面断面図及び下面図
【図４】本発明の一実施形態に係るアダプター１４０の、上面図、正面断面図、及び下面図。
【図５】本発明の一実施形態に係る混合キャップ１００の、ポーションカップ２００内の副剤Ｓを容器内へ投下する手順を示す断面図。
【発明を実施するための形態】
【００１７】
以下に、本発明の一実施形態に係る混合キャップ１００について、図面に基づいて説明する。なお、混合キャップ１００に嵌合する容器は、容器口部３００周辺のみを図示する。
混合キャップ１００は、容器口部３００に装着され、ポーションカップ２００内に充填された副剤Ｓを取り出し容器内へ混合するものであり、図１に示すように、キャップ本体１１０と、外蓋１３０と、アダプター１４０とが設けられている。
【００１８】
キャップ本体１１０は、図２に示すように、頂板部１１１と、頂板部１１１から下方に延びるスカート壁１２０と、頂板部１１１の周縁から上方に延びる筒状突起１２４とを有している。
頂板部１１１の上面には、平板状の押上げリブ１１２と、開封用カッター１１３と、補助リブ１１４と、閉鎖板１１５ａ，１１５ｂと、破断用スコア１１６とが設けられている。
押上げリブ１１２は、頂板部１１１の中央から上方に延び、閉鎖板１１５ａ，１１５ｂは、それぞれ押上げリブ１１２の平板面を挟むように対向配置されている。
【００１９】
また、閉鎖板１１５ａ，１１５ｂのそれぞれの周囲を囲むように、破断用スコア１１６が形成されており、破断用スコア１１６の、押上げリブ１１２から最も離れた箇所には、開封開始角部１１７が形成されている。
開封用カッター１１３は、頂板部１１１から上方に延びるように円弧状に形成され、破断用スコア１１６を囲む円周上に断続的に５つ配置されており、上端が二又の鋭い刃状に形成されている。
押上げリブ１１２は、開封用カッター１１３とほぼ同じ縦方向長さを有し、その先端は非尖形状となっている。
補助リブ１１４は、頂板部１１１から上方に延び、押上げリブ１１２よりも縦方向が短い平板状に形成され、その先端は非尖形状となっており、開封用カッター１１３と同一円周上且つ押上げリブ１１２の平板面の延長線に直交するように配置されている。
【００２０】
頂板部１１１の下面には、容器口部３００の外面と密着可能な下方に延びるリング状のアウターリング１１８及び容器口部３００の内面と密着可能なインナーリング１１９が形成されている。
閉鎖板１１５と破断用スコア１１６は、インナーリング１１９よりも周方向内側に形成されている。
スカート壁１２０の内周面には、容器口部３００とネジ係合可能な容器係合ネジ１２１が設けられるとともに、スカート壁１２０の下端には、タンパーエビデントリング１２２が弱化部１２３を介して接続されている。
【００２１】
筒状突起１２４の上端付近には、外蓋１３０と係合する上方に突出した離脱防止凸部１２５と、半径方向外方にリング状に膨出した抜け止めリング１２６と、抜け止めリング１２６よりも下方で半径方向外方に断続的に膨出した位置決め凸部１２７とが設けられ、筒状突起１２４の下方の内周面には、頂板部１１１との境界から上方に延びる方向規制ガイド１２８が設けられ、筒状突起１２４の下方の外周面には、外蓋係合ネジ１２９が設けられている。
また、離脱防止凸部１２５は、筒状突起１２４の中心側から見て左側に傾斜を有したラチェット刃状に形成されている。
【００２２】
外蓋１３０は、図３に示すように、外蓋天面１３１と、外蓋天面１３１から下方に延びる筒状壁１３２と、密閉壁部１３４と、外蓋壁部１３６とを有している。
筒状壁１３２は、ポーションカップ２００を内包可能に形成されており、筒状壁１３２の下端には、半径方向外方に周状に突出したアダプター１４０を保持する膨出部１３３が設けられ、密閉壁部１３４の下端には、半径方向外方に拡径した拡径部１３５が設けられ、外蓋壁部１３６の内周面には、キャップ本体係合ネジ１３８が設けられている。
また、外蓋天面１３１のうち、密閉壁部１３４と外蓋壁部１３６との間には、キャップ本体１１０と係合する下方に突出した係止突起１３９が設けられている。
【００２３】
アダプター１４０は、図４に示すように、平板状に形成された主部１４１と、主部１４１の下面から弧状に突出し下方に延びる２つの押圧リブ１４５ａ，１４５ｂと、主部１４１の上面の縁部から断続的に突出した係合突起１４６とを有している。
主部１４１には、中央開口部１４２と、中央開口部１４２を囲むように断続的に配置された弧状開口部１４３と、主部１４１の縁部に断続的に配置され半径方向外方に開放された切欠き部１４４とが設けられている。
【００２４】
なお、中央開口部１４２は、押上げリブ１１２が通過可能な大きさ及び配置で形成され、弧状開口部１４３は、開封用カッター１１３及び補助リブ１１４が通過可能な大きさ及び配置で形成され、切欠き部１４４は、方向規制ガイド１２８が通過可能な大きさ及び配置で形成されている。
また、２つの押圧リブ１４５ａ，１４５ｂは、同一円周上に配置されているが、突出方向の長さが異なるように形成されており、押圧リブ１４５ａの方が押圧リブ１４５ｂよりも長い。
そして、押圧リブ１４５ａ、１４５ｂは、キャップ本体１１０の頂板部１１１に形成される２つの閉鎖板１１５ａ、１１５ｂの内側（破断用スコア１１６の内側）を通過可能な大きさ及び配置となっている。
【００２５】
ポーションカップ２００は、図１に示すように、副剤Ｓを収容しており、開口部はフィルム状の開封面２０１で密封されており、開口部の周囲は鍔状のフランジ２０２が半径方向外方に向けて形成されている。
【００２６】
次に、混合キャップ１００の組み立てについて、図１及び図５の使用直前状態に基づいて説明する。
まず、ポーションカップ２００の開封面２０１側から、アダプター１４０の係合突起１４６をフランジ２０２を乗り越えた位置で係合させる。
次に、外蓋１３０の筒状壁１３２内に、ポーションカップ２００を挿入する。このとき、筒状壁１３２の膨出部１３３が、フランジ２０２と係合突起１４６との間に挟まるように係合することで、外蓋１３０にポーションカップ２００及びアダプター１４０が係合される。
さらに、容器口部３００に容器係合ネジ１２１をネジ係合させたキャップ本体１１０に、ポーションカップ２００及びアダプター１４０を係合させた外蓋１３０をネジ係合させる。
このとき、アダプター１４０の押圧リブ１４５ａ，１４５ｂが、それぞれキャップ本体１１０の押上げリブ１１２の平板面を挟むとともに、切欠き部１４４を方向規制ガイド１２８が通過するように配置することで、外蓋１３０が回転しても、切欠き部１４４に方向規制ガイド１２８が入っているため、アダプター１４０がキャップ本体１１０と相対的に回転することがない。
【００２７】
また、外蓋１３０の位置決めリブ１３７が、キャップ本体１１０の抜け止めリング１２６と位置決め凸部１２７との間に収まる位置まで、外蓋係合ネジ１２９とキャップ本体係合ネジ１３８とをネジ係合させることで、外蓋１３０は、抜け止めリング１２６及び位置決め凸部１２７に挟まれた位置決めリブ１３７によって簡易的に位置固定されるため、混合キャップ１００の使用時以外にキャップ本体１１０と外蓋１３０との位置関係がずれることがなく、輸送時の振動などによるポーションカップ２００や混合キャップ１００の誤開封を防止できる。
なお、外蓋１３０の密閉壁部１３４は、キャップ本体１１０の筒状突起１２４の内周面に、拡径部１３５を密着させるように収まっている。
【００２８】
次に、混合キャップ１００による、ポーションカップ２００内の副剤Ｓと、容器内の主剤との混合手順について、図５に基づいて説明する。
まず、容器を固定し、外蓋１３０を時計回りに回転させると、図５の手順１に示すように、位置決めリブ１３７が位置決め凸部１２７を乗り越え、外蓋１３０はキャップ本体１１０に対して相対的に降下する。
アダプター１４０は、外蓋１３０と同じく降下し、押圧リブ１４５ａは、閉鎖板１１５ａの、開封開始角部１１７近傍に当接する。
このとき、外蓋１３０とともにアダプター１４０及びポーションカップ２００が回転することなく方向規制ガイド１２８に沿って降下し、押上げリブ１１２は中央開口部１４２を通り、開封用カッター１１３は弧状開口部１４３を通り、それぞれポーションカップ２００の開封面２０１に当接する。
【００２９】
さらに押圧リブ１４５ａは、閉鎖板１１５ａを下方に押圧していくことで、応力が開封開始角部１１７に集中し、破断用スコア１１６を開封開始角部１１７から破断する。
破断に伴って、閉鎖板１１５ａは押上げリブ１１２の付け根付近を回転中心として下方へ徐々に落ち込み、副剤Ｓが開口する中央開口部１４２や弧状開口部１４３を通り、閉鎖板１１５ａより容器内へ入る流路を形成する。
さらに、外蓋１３０を時計回りに回転させてアダプター１４０及びポーションカップ２００を降下すると、押上げリブ１１２は開封面２０１を上方に押し上げてフィルムの弛みを解消し、開封用カッター１１３は開封面２０１に食い込み、複数の破線状の孔の亀裂を形成し、亀裂から副剤Ｓがポーションカップ２００外へ少しずつ漏れ出し、形成された流路を通って容器内へ入り始める。
【００３０】
なお、押圧リブ１４５ｂは、押圧リブ１４５ａよりも短いため、閉鎖板１１５ａが開口開始した後、若しくは完全に開口した後に押圧リブ１４５ｂが閉鎖板１１５ｂに当接して押圧を始める。
このように、押圧リブ１４５からの押圧力を１つの閉鎖板１１５に集中させて開口することから、閉鎖板１１５の開口に必要な押圧力を低くすることができる。
【００３１】
さらに外蓋１３０を時計回りに回転させきって、アダプター１４０及びポーションカップ２００を降下させると、図５の手順２に示すように、押上げリブ１１２によって開封面２０１は上方へ持ち上げられるとともに、開封用カッター１１３で設けた複数の破線状の孔の亀裂が伝播しつながっていく。
このとき、補助リブ１１４の直上付近にある開封面２０１には、開封用カッター１１３による破線状の孔の亀裂がないため、押上げリブ１１２によって持ち上げられた開封面２０１はポーションカップ２００から完全に離脱することなく補助リブ１１４側へ押し込まれるとともに、補助リブ１１４によってさらにめくりあげられるため、開封面２０１が容器内へ落下するおそれがなく、ポーションカップ２００は広く開口し、副剤Ｓがポーションカップ２００外へ流れやすくなる。
また、外蓋１３０を時計回りに回転させきる直前に、係止突起１３９が離脱防止凸部１２５のラチェット刃状の傾斜を上って離脱防止凸部１２５を乗り越えており、外蓋１３０が回転しきった後は、筒状突起１２４の中心側から見て離脱防止凸部１２５の右側近傍に、係止突起１３９が位置している。
【００３２】
また、押圧リブ１４５ａと同様に、押圧リブ１４５ｂは閉鎖板１１５ｂを下方に押圧し、押上げリブ１１２の付け根付近を回転中心として下方へ落ち込ませる。これによって、ポーションカップ２００から流れ出した副剤Ｓを、迅速に容器内へ入れることができる。
なお、密閉壁部１３４の拡径部１３５が、筒状突起１２４の内周面に密着しており、容器口部３００の上端にはアウターリング１１８及びインナーリング１１９が密着しているため、副剤Ｓと容器内の主剤とを混ぜる際、混合キャップ１００ごと容器全体を振り回しても、混合中に混合キャップ１００の隙間から中身が外部へ漏れ出るようなことはない。
【００３３】
副剤Ｓを容器内の主剤と混ぜ終えた後、図５の手順３に示すように混合キャップ１００を容器口部３００から外す。
このとき、外蓋１３０を反時計回りに回転させると、キャップ本体１１０から離脱するように動作するが、係止突起１３９が、離脱防止凸部１２５に引っかかることで、外蓋１３０とともにキャップ本体１１０も反時計回りに回転するため、混合キャップ１００全体が容器口部３００から離脱する方向に動作し、容器口部３００から混合キャップ１００を離脱させることができ、副剤Ｓと主剤とを混合した内容物を取り出すことができる。
このとき、タンパーエビデントリング１２２は容器口部３００に引っかかるため、弱化部１２３を破断してスカート壁１２０から離脱し、容器口部３００に残る。
【００３４】
以上、本発明の実施形態を詳述したが、本発明は上記実施形態に限定されるものではなく、特許請求の範囲に記載された本発明を逸脱することなく種々の設計変更を行うことが可能である。
なお、上述した実施形態では、副剤を充填したポーションカップを用いているものとして説明したが、副剤を充填するものはこれに限定されず、例えば、外蓋の筒状壁部の内面側に副剤を充填し、筒状壁部の下端の開口を開封面で塞いでもよく、汎用品のポーションカップとは別に、混合キャップ専用に成形したポーションカップ状の部材を用いてもよい。
また、上述した実施形態では、開封用カッターは、破断用スコアを囲む円周上に断続的に５つ配置され、上端が二又の鋭い刃状に形成されているものとして説明したが、開封用カッターの配置や形状はこれに限定されず、例えば、開封用カッターが４つでもよく、開封用カッターの上端が連続して並んだ細い針状に形成されていてもよく、幅広の円弧状の刃を形成していてもよい。
【００３５】
また、上述した実施形態では、切欠き部は、平板部の縁部に断続的に配置され半径方向外方に開放されており、切欠き部に方向規制ガイドが入るものとして説明したが、切欠き部の形状や配置はこれに限定されず、例えば、筒状突起の内面を六角形状に形成するとともに、アダプターの外周縁を筒状壁部の内面と同一の六角形で構成して方向規制をしてもよく、弧状開口部と開封用カッターとの円周方向の幅を同一にして、切欠き部を設けずに方向規制をしてもよい。
また、上述した実施形態では、外蓋のキャップ本体からの離脱を防止するために、ラチェット刃状の離脱防止凸部と係合突起を用いるものとして説明したが、外蓋のキャップ本体からの離脱防止方法はこれに限定されず、例えば、外蓋のキャップ本体係合ネジの下方と、キャップ本体の外蓋係合ネジの下方とに、それぞれ向きが逆転したラチェット刃状の
離脱防止凸部を形成していてもよい。
【００３６】
また、上述した実施形態では、押上げリブ及び補助リブは平板状に形成されているものとして説明したが、押上げリブ及び補助リブの形状はこれに限定されず、例えば、円柱状に形成されていてもよく、頂板部から十字状に突出していてもよい。
また、上述した実施形態では、閉鎖板及び押圧リブは２つ設けられているものとして説明したが、閉鎖板及び押圧リブの数はこれに限定されず、例えば、それぞれ１つずつ設けてもよく、それぞれ３つ以上設けてもよく、１つの閉鎖板を複数の押圧リブで押圧してもよい。
【００３７】
また、上述した実施形態では、容器口部とキャップ本体とはネジ係合するものとして説明したが、容器口部とキャップ本体との係合方法はこれに限定されず、例えば、圧入嵌合でもよい。
また、上述した実施形態では、キャップ本体と外蓋とはネジ係合するものとして説明したが、キャップ本体と外蓋との係合方法はこれに限定されず、例えば、圧入嵌合でもよい。
また、上述した実施形態では、混合キャップは容器口部とキャップ本体を介して係合するものとして説明したが、混合キャップと容器口部との係合方法はこれに限定されず、例えば、容器口部の内周面に圧入嵌合するキャップ本体と、容器口部の外周面とネジ係合する容器係合ネジを有した外蓋を用いてもよい。
【００３８】
また、上述した実施形態では、破断用スコアの、押上げリブから最も離れた箇所に開封開始角部が形成されているものとして説明したが、開封開始角部の位置や形状はこれに限定されず、例えば、押圧リブと閉鎖板とのいずれかの接点の近傍に形成されていてもよく、開封開始角部の形状が円形や波形に形成されていてもよい。
また、上述した実施形態では、アダプターには平板状に形成された主部が設けられているものとして説明したが、主部の形状はこれに限定されず、例えば、格子状に形成されていてもよく、主部の中央から外方へ広がる波状に形成されていてもよい。
【００３９】
また、上述した実施形態では、最初に押圧リブが閉鎖板に当接し、スコアが破断開始、次いで開封カッターによる開封面の破断開始の順序となっているが、破断の順番はこれに限定されず、例えば、最初に開封用カッターによる開封面の破断が開始した後に押圧リブが閉鎖板に当接し、スコアの破断開始としてもよい。
【符号の説明】
【００４０】
１００              ・・・  混合キャップ
１１０              ・・・  キャップ本体
１１１              ・・・  頂板部
１１２              ・・・  押上げリブ
１１３              ・・・  開封用カッター
１１４              ・・・  補助リブ
１１５ａ，１１５ｂ  ・・・  閉鎖板
１１６              ・・・  破断用スコア
１１７              ・・・  開封開始角部
１１８              ・・・  アウターリング
１１９              ・・・  インナーリング
１２０              ・・・  スカート壁
１２１              ・・・  容器係合ネジ
１２２              ・・・  タンパーエビデントリング
１２３              ・・・  弱化部
１２４              ・・・  筒状突起
１２５              ・・・  離脱防止凸部
１２６              ・・・  抜け止めリング
１２７              ・・・  位置決め凸部
１２８              ・・・  方向規制ガイド
１２９              ・・・  外蓋係合ネジ
１３０              ・・・  外蓋
１３１              ・・・  外蓋天面
１３２              ・・・  筒状壁
１３３              ・・・  膨出部
１３４              ・・・  密閉壁部
１３５              ・・・  拡径部
１３６              ・・・  外蓋壁部
１３７              ・・・  位置決めリブ
１３８              ・・・  キャップ本体係合ネジ
１３９              ・・・  係止突起
１４０              ・・・  アダプター
１４１              ・・・  主部
１４２              ・・・  中央開口部
１４３              ・・・  弧状開口部
１４４              ・・・  切欠き部
１４５ａ，１４５ｂ  ・・・  押圧リブ
１４６              ・・・  係合突起
２００              ・・・  ポーションカップ
２０１              ・・・  開封面
２０２              ・・・  フランジ
３００              ・・・  容器口部
Ｓ              ・・・  副剤
【図１】
2018118779.tif 000003
【図２】
2018118779.tif 000004
【図３】
2018118779.tif 000005
【図４】
2018118779.tif 000006
【図５】
2018118779.tif 000007